(57)【特許請求の範囲】
【請求項１】
回転軸を設けるとともに筒側壁を有して有底筒状に形成された筒部が回転軸の一端部に設けられたインペラー部と、インペラー部が回転自在に配設されポンプ室を隔離する隔壁を介して対向配置された駆動磁石によって所定方向へ回転駆動される磁石と、磁性材料からなり磁石に当接するバックプレートと、筒外周部を有した有底筒状に形成されて磁石を筒内部に保持する磁石ホルダーとを備え、前記磁石ホルダーは筒外方へ突出した係止突起が前記筒外周部に設けられるとともに、前記インペラー部は前記回転軸方向へ切り欠いた一片と、その一片に略直交して前記所定方向へ切り欠いて形成された他片とを有して略Ｌ字型に形成されて前記係止突起に係止する係止溝が前記筒側壁に設けられたことを特徴とする給水ポンプ。
【請求項２】
前記係止突起及び前記係止溝は、それぞれ３箇所づつ設けられたことを特徴とする請求項１記載の給水ポンプ。
【請求項３】
前記バックプレート及び前記磁石は、ステンレス及びフェライトでもってそれぞれ形成されたことを特徴とする請求項１乃至請求項２のいづれかに記載の給水ポンプ。
【発明の詳細な説明】
【０００１】
【発明の属する技術分野】
本発明は、電動ポット等に使用されて熱水を給水する給水ポンプに関するものである。
【０００２】
【従来の技術】
この種の給水ポンプの従来例として、図９に示す構成のものが存在する。このものは、回転軸Ａ1を有してその回転軸Ａ1から突設された遠心羽根部Ａ2を設けて回転自在にポンプ室Ａ3に配設されたインペラー部Ａと、ポンプ室Ａ3を隔離する隔壁Ｂ1を介して対向配置された駆動磁石によって所定方向へ回転駆動される磁石Ｂと、磁性材料からなり磁石Ｂに当接したバックプレートＣと、インペラー部Ａの一端部に設けられて磁石Ｂ及びバックプレートＣを保持する磁石ホルダーＤとを備えている。
【０００３】
さらに詳しくは、磁石Ｂ及びバックプレートＣは、インサート成形でもってインペラー部Ａ及び磁石ホルダーＤを形成する樹脂で一体形成されて、形成された磁石ホルダーＤに保持される。
【０００４】
また、別の従来例として、図１０に示す構成のものが存在する。このものは、回転軸Ａ1を有してその回転軸Ａ1から突設された遠心羽根部Ａ2、及び筒側壁Ａ31を有して有底筒状に形成された筒部Ａ3が回転軸Ａ1の一端部に設けられたインペラー部Ａと、インペラー部Ａが回転自在に配設されたポンプ室Ａ4を隔離する隔壁Ｂ1を介して対向配置された駆動磁石によって所定方向へ回転駆動される磁石Ｂと、磁性材料からなり磁石Ｂに当接したバックプレートＣと、筒側壁Ｄ1を有した有底筒状に形成されて磁石Ｂを保持する磁石ホルダーＤとを備えている。
【０００５】
さらに詳しくは、磁石ホルダーＤは磁石Ｂ及びバックプレートＣが筒内部に挿入されてそれらを保持した状態で、筒側壁Ｄ1が熱溶着又は超音波溶着でもって、インペラー部Ａの筒側壁Ａ31に固着される。
【０００６】
【発明が解決しようとする課題】
上記した従来の給水ポンプでは、隔壁Ｂ1を介して駆動磁石に対向配置された磁石Ｂが回転駆動されて、インペラー部Ａが回転して給水できる。
【０００７】
しかしながら、従来例では、磁石Ｂ及びバックプレートＣはインサート成形でもって、インペラー部Ａ及び磁石ホルダーＤと一体形成されて、磁石ホルダーＤに保持されるので、磁石Ｂ及びバックプレートＣをインサート金型に装着しなくてはならず、その装着工程が必要になってコストが高くなっていた。
【０００８】
また、別の従来例では、磁石ホルダーＤは筒側壁Ｄ1が熱溶着又は超音波溶着でもってインペラー部Ａの筒側壁Ａ31に固着されるので、熱溶着又は超音波溶着するための設備が必要になる。これらの設備は高価であって、多額の償却費用を必要とし同様にコストが高くなっていた。
【０００９】
本発明は、上記事由に鑑みてなしたもので、その目的とするところは、磁石及びバックプレートを、インペラー部に容易にかつ安価に取り付けることができる給水ポンプを提供することにある。
【００１０】
【課題を解決するための手段】
上記した課題を解決するために、請求項１記載のものは、回転軸を設けるとともに筒側壁を有して有底筒状に形成された筒部が回転軸の一端部に設けられたインペラー部と、インペラー部が回転自在に配設されポンプ室を隔離する隔壁を介して対向配置された駆動磁石によって所定方向へ回転駆動される磁石と、磁性材料からなり磁石に当接するバックプレートと、筒外周部を有した有底筒状に形成されて磁石を筒内部に保持する磁石ホルダーとを備え、前記磁石ホルダーは筒外方へ突出した係止突起が前記筒外周部に設けられるとともに、前記インペラー部は前記回転軸方向へ切り欠いた一片と、その一片に略直交して前記所定方向へ切り欠いて形成された他片とを有して略Ｌ字型に形成されて前記係止突起に係止する係止溝が前記筒側壁に設けられた構成にしてある。
【００１１】
請求項２記載のものは、請求項１記載のものにおいて、前記係止突起及び前記係止溝は、それぞれ３箇所づつ設けられた構成にしてある。
【００１２】
請求項３記載のものは、請求項１又は請求項２記載のものにおいて、前記バックプレート及び前記磁石は、ステンレス及びフェライトでもってそれぞれ形成された構成にしてある。
【００１４】
【発明の実施の形態】
本発明の一実施形態を図１乃至図８に基づいて以下に説明する。
【００１５】
１はインペラー部で、樹脂により、軸孔を有した回転軸１１を設けて、螺旋状に形成された螺旋羽根部１２が回転軸１１の直交方向へ突設されるとともに、筒側壁１３ａ及び底部を有して有底円筒状に形成された筒部１３が回転軸１１の一端部に設けられる。そして、回転軸１１、螺旋羽根部１２、及び筒部１３がそれぞれ一体成形されて、軸１ａが軸孔に挿通されて、回転軸１１を中心に所定方向へ回転自在に回転する。
【００１６】
ここで、図６に示すように、係止溝１４が筒部１３の筒側壁１３ａに円周を３分割した位置にて３箇所設けられて、各係止溝１４が回転軸１１方向へ切り欠いた一片１４ａと、その一片１４ａに略直交して所定方向へ切り欠いた他片１４ｂとを有して、略Ｌ字型に形成されている。
【００１７】
２は磁石で、人体に有害な有害物質を含まないフェライトにより、円形リング状に形成されて、４極に多極着磁され、インペラー部１の筒部１３に収容されて、インペラー部１と同様に所定方向へ回転する。
【００１８】
３は駆動磁石で、４極に多極着磁されたフェライトにより、円形リング状に形成され、有底円筒状の駆動磁石ホルダー３１に保持され、磁石２と互いに対向配置され磁気結合されて、その磁石２を回転駆動する。
【００１９】
４はバックプレートで、人体に有害な有害物質を含まない磁性ステンレスにより、円形リング状に形成され、筒部１３の底部と磁石２との間に位置して、その磁石２に当接し磁力を向上させる。
【００２０】
５は磁石ホルダーで、樹脂により、図４に示すように、筒外周部５１及び筒内部５２を有して有底円筒状に形成され、筒外方へ突出して正面略Ｕ字型に形成された係止突起５３が、筒外周部５１を３分割した位置にてその筒外周部５１に３箇所設けられて、筒外周部５１がインペラー部１の筒側壁１３ａに嵌合する。さらに、軸受け部５４が底部５５から両側へ突設される。このものについては詳しく後述する。
【００２１】
ケース６は、樹脂により、熱水の流入口６１、吐出口６２、及び円形状で一方方向へ開口した開口部６３がそれぞれ設けられるとともに、インペラー部１が収容されてポンプ室６ａを形成する。
【００２２】
隔壁７は、薄板状のシール材料により、円形状に形成され、ケース６の開口部６３に設けられて、ポンプ室６ａをシールして隔離するとともに、突出部７１が中心部から突設される。
【００２３】
モーター８は、駆動軸８１を有した直流モーターであり、取付板８２に取付けられて、駆動軸８１が駆動磁石ホルダー３１の軸受け部３１ａに圧入され軸止されて、所定方向へ回転し駆動磁石ホルダー３１を回転駆動する。
【００２４】
このものの組立操作について、図８に基づいて以下に説明する。先ず、磁石２が磁石ホルダー５の筒内部５２に保持されて、次いで、バックプレート４を磁石２の磁力によって磁石２に当接させ、磁石２及びバックプレート４が磁石ホルダー５に保持される。
【００２５】
次いで、磁石ホルダー５は筒外周部５１がインペラー部１の筒側壁１３ａに嵌合された状態で、係止突起５３が係止溝１４の一片１４ａに係合し、インペラー部１の回転方向である所定方向へ回動されることによって、一片１４ａに直交した他片１４ｂに係止される。
【００２６】
次いで、軸１ａはインペラー部１の軸孔に挿入されて、一端部が流入口６１側のケース６の側壁に、他端部が隔壁７の突出部７１にそれぞれ固定される。そして、インペラー部１は螺旋羽根部が略中央部に、磁石２が開口部６３側へそれぞれ位置した状態で、回転自在に支持されてポンプ室６ａに収容される。このとき、磁石２はポンプ室６ａを隔離する隔壁７を介して駆動磁石３と互いに対向配置されて、その駆動磁石３によって所定方向へ回転駆動される。
【００２７】
このものの動作を説明する。直流電圧が印加されてモーター８が所定方向へ回転すると、モーター８の駆動軸８１に軸止された駆動磁石ホルダー３１が回転し、駆動磁石３が回転して、隔壁７を介して対向配置された磁石２が所定方向へ回転駆動される。そして、インペラー部１が回転し、熱水が螺旋羽根部１２でもって吸水口から吸水されて、吐出口６２から吐出され給水される。
【００２８】
このとき、磁石２が所定方向へ回転駆動されたとき、磁石２を保持した磁石ホルダー５が所定方向へ筒部１３に対して変位しようとしても、インペラー部１の係止溝１４は他片１４ｂが所定方向へ切り欠いて形成されているので、磁石ホルダー５の係止突起５３は筒部１３の筒側壁１３ａに当接して、磁石ホルダー５が係止溝１４から抜去されることがない。また、バックプレート４及び磁石２が、磁性ステンレス及びフェライトでもってそれぞれ形成されたので、有害物質が熱水に溶出することがない。
【００２９】
かかる一実施形態の給水ポンプにあっては、上記したように、係止突起５３が磁石ホルダー５の筒外周部５１に突設されるとともに、係止溝１４がインペラー部１の筒側壁１３ａに設けられたから、磁石２及びその磁石２に当接したバックプレート４を保持した磁石ホルダー５が、係止突起５３を係止溝１４の回転軸１１方向へ切り欠いた一片１４ａに係合し、さらに回転軸１１方向に対する直交方向へ回動されることによって、一片１４ａに直交した他片１４ｂに係止して、磁石２及びバックプレート４をインペラー部１に一体成形するインサート成形工程を省略して、コストダウンを達成することができる。
【００３０】
また、係止溝１４の他片１４ｂがインペラー部１の筒側壁１３ａを所定方向へ切り欠いて形成されたから、磁石２が所定方向へ回転駆動されたとき、磁石２を保持した磁石ホルダー５が所定方向へ筒部１３に対して変位しようとしても、磁石ホルダー５の係止突起５３が筒部１３の筒側壁１３ａに当接して、磁石ホルダー５が係止溝１４から抜去されることを防止できる。
【００３１】
また、係止突起５３及び係止溝１４が、磁石ホルダー５及びインペラー部１の筒部１３にそれぞれ３箇所づつ設けられたから、磁石ホルダー５を３箇所の係止溝１４に係止して、磁石ホルダー５をバランスよくインペラー部１に係止することができる。
【００３２】
また、バックプレート４及び磁石２が磁性ステンレス及びフェライトでもってそれぞれ形成されたから、熱水を給水してもバックプレート４及び磁石２から有害物質が溶出することがなく、安全性を高めることができる。
【００３３】
なお、本実施形態では、係止突起５３及び係止溝１４をそれぞれ３箇所づつ設けたが、３箇所以上であってもよく限定されない。
【００３４】
【発明の効果】
請求項１記載のものは、係止突起が磁石ホルダーの筒外周部に突設されるとともに、係止溝がインペラー部の筒側壁に設けられたから、磁石及びその磁石に当接したバックプレートを保持した磁石ホルダーが、係止突起を係止溝の回転軸方向へ切り欠いた一片に係合し、さらに回転軸方向に対する直交方向へ回動されることによって、一片に直交した他片に係止して、磁石及びバックプレートをインペラー部に一体成形するインサート成形工程を省略して、コストダウンを達成することができ、また、係止溝の他片がインペラー部の筒側壁を所定方向へ切り欠いて形成されたから、磁石が所定方向へ回転駆動されたとき、磁石を保持した磁石ホルダーが所定方向へ筒部に対して変位しようとしても、磁石ホルダーの係止突起が筒部の筒側壁に当接して、磁石ホルダーが係止溝から抜去されることを防止できる。
【００３５】
請求項２記載のものは、請求項１記載のものの効果に加えて、係止突起及び係止溝が、磁石ホルダー及びインペラー部の筒部にそれぞれ３箇所づつ設けられたから、磁石ホルダーを３箇所の係止溝に係止して、磁石ホルダーをバランスよくインペラー部に係止することができる。
【００３６】
請求項３記載のものは、請求項１又は請求項２記載のものの効果に加えて、バックプレート及び磁石が磁性ステンレス及びフェライトでもってそれぞれ形成されたから、温水を給水してもバックプレート及び磁石から有害物質が溶出することがなく、安全性を高めることができる。
【図面の簡単な説明】
【図１】    本発明の一実施形態を示す正面部分断面図である。
【図２】    同上の側面図である。
【図３】    同上の磁石ホルダーの正面断面図である。
【図４】    同上の磁石ホルダーの平面図である。
【図５】    同上の磁石ホルダーの側面図である。
【図６】    同上のインペラー部の正面図である。
【図７】    同上のインペラー部の側面図である。
【図８】    同上の磁石ホルダーがインペラー部に係止された状態の正面図である。
【図９】    従来例を示す正面断面図である。
【図１０】    別の従来例を示す正面断面図である。
【符号の説明】
１      インペラー部
１１    回転軸
１３    筒部
１３ａ  筒側壁
１４    係止溝
１４ａ  一片
１４ｂ  他片
２      磁石
３      駆動磁石
４      バックプレート
５      磁石ホルダー
５１    筒外周部
５２    筒内部
５３    係止突起
６ａ    ポンプ室
７      隔壁
【図１】
0003829417.tif 000002
【図２】
0003829417.tif 000003
【図３】
0003829417.tif 000004
【図４】
0003829417.tif 000005
【図５】
0003829417.tif 000006
【図６】
0003829417.tif 000007
【図７】
0003829417.tif 000008
【図８】
0003829417.tif 000009
【図９】
0003829417.tif 000010
【図１０】
0003829417.tif 000011